(57)【特許請求の範囲】
【請求項１】
顧客毎に予め設定された購入条件及び基準購入枚数を記録した購入条件記憶手段、
顧客毎にキャリーオーバー金額に応じて、前記基準購入枚数に乗算するキャリーオーバー補正値についての補正テーブルを記録した補正情報記憶手段、
宝くじのキャリーオーバー金額を蓄積する宝くじ管理サーバ及び顧客の口座を管理するホストシステムに接続されて、顧客の宝くじ購入の支援を行なう制御手段、
顧客毎に口座識別子を記録した顧客情報記憶手段を備えた宝くじ販売支援システムであって、
前記制御手段が、
宝くじの購入指示を受けた場合、各回のくじ販売期間に、前記購入条件記憶手段から購入条件及び基準購入枚数を取得する登録情報取得手段、
前記ホストシステムにおいて、この顧客の口座を特定し、この口座の口座残高を取得する口座情報取得手段、
前記宝くじ管理サーバからキャリーオーバー金額を取得し、このキャリーオーバー金額に応じて前記補正テーブルからキャリーオーバー補正値を取得し、前記基準購入枚数及びキャリーオーバー補正値を用いて購入枚数を算出し、前記算出した購入枚数の購入必要金額を算出し、購入必要金額が口座残高より高い場合には、預金残高を宝くじ単価で除算して、この預金口座を用いて購入することができる枚数を算出し、購入枚数を変更する購入枚数決定手段、
前記顧客情報記憶手段を用いて、この顧客の口座から前記購入条件に対して前記購入枚数の宝くじを購入するための金額の引落指示をホストシステムに送信するくじ販売処理手段
を備えたことを特徴とする宝くじ販売支援システム。
【請求項２】
顧客毎に予め設定された購入条件及び基準購入枚数を記録した購入条件記憶手段、
顧客毎にキャリーオーバー金額に応じて、前記基準購入枚数に乗算するキャリーオーバー補正値についての補正テーブルを記録した補正情報記憶手段、
宝くじのキャリーオーバー金額を蓄積する宝くじ管理サーバ及び顧客の口座を管理するホストシステムに接続されて、顧客の宝くじ購入の支援を行なう制御手段、
顧客毎に口座識別子を記録した顧客情報記憶手段を備えた宝くじ販売支援システムを用
いて、宝くじの販売を支援する方法であって、
前記制御手段が、
宝くじの購入指示を受けた場合、各回のくじ販売期間に、前記購入条件記憶手段から購入条件及び基準購入枚数を取得する登録情報取得段階、
前記ホストシステムにおいて、この顧客の口座を特定し、この口座の口座残高を取得する口座情報取得段階、
前記宝くじ管理サーバからキャリーオーバー金額を取得し、このキャリーオーバー金額に応じて前記補正テーブルからキャリーオーバー補正値を取得し、前記基準購入枚数及びキャリーオーバー補正値を用いて購入枚数を算出し、前記算出した購入枚数の購入必要金額を算出し、購入必要金額が口座残高より高い場合には、預金残高を宝くじ単価で除算して、この預金口座を用いて購入することができる枚数を算出し、購入枚数を変更する購入枚数決定段階、
前記顧客情報記憶手段を用いて、この顧客の口座から前記購入条件に対して前記購入枚数の宝くじを購入するための金額の引落指示をホストシステムに送信するくじ販売処理段階
を実行することを特徴とする宝くじ販売支援方法。
【請求項３】
顧客毎に予め設定された購入条件及び基準購入枚数を記録した購入条件記憶手段、
顧客毎にキャリーオーバー金額に応じて、前記基準購入枚数に乗算するキャリーオーバー補正値についての補正テーブルを記録した補正情報記憶手段、
宝くじのキャリーオーバー金額を蓄積する宝くじ管理サーバ及び顧客の口座を管理するホストシステムに接続されて、顧客の宝くじ購入の支援を行なう制御手段、
顧客毎に口座識別子を記録した顧客情報記憶手段を備えた宝くじ販売支援システムを用いて、宝くじの販売を支援するプログラムであって、
前記制御手段を、
宝くじの購入指示を受けた場合、各回のくじ販売期間に、前記購入条件記憶手段から購入条件及び基準購入枚数を取得する登録情報取得手段、
前記ホストシステムにおいて、この顧客の口座を特定し、この口座の口座残高を取得する口座情報取得手段、
前記宝くじ管理サーバからキャリーオーバー金額を取得し、このキャリーオーバー金額に応じて前記補正テーブルからキャリーオーバー補正値を取得し、前記基準購入枚数及びキャリーオーバー補正値を用いて購入枚数を算出し、前記算出した購入枚数の購入必要金額を算出し、購入必要金額が口座残高より高い場合には、預金残高を宝くじ単価で除算して、この預金口座を用いて購入することができる枚数を算出し、購入枚数を変更する購入枚数決定手段、
前記顧客情報記憶手段を用いて、この顧客の口座から前記購入条件に対して前記購入枚数の宝くじを購入するための金額の引落指示をホストシステムに送信するくじ販売処理手段
として機能させることを特徴とする宝くじ販売支援プログラム。
【発明の詳細な説明】
【技術分野】
【０００１】
本発明は、顧客に対して効率的に宝くじを販売するための宝くじ販売支援システム、宝くじ販売支援方法及び宝くじ販売支援プログラムに関する。
【背景技術】
【０００２】
宝くじを購入する場合、宝くじ販売所や所定の金融機関の窓口を利用することが多いが、宝くじ購入の利便性を向上させるための券類販売総合管理システムも検討されている（例えば、特許文献１を参照。）。この券類販売総合管理システムにおいては、現金自動預払機は「くじ」券の保護預りによる販売機能を有し、「くじ」券の購入操作により本人の確認及び預金口座の残高確認を行ない、その口座から購入代金を引き落として利用明細票を発行する。そして、販売データを金融機関を経由して金融機関統合センタに送信する。この金融機関統合センタは、受信した「くじ」の販売データを集計処理して「くじ」購入データとする。そして、「くじ」センタは、現物販売分と統合センタからの購入分とを合計し、抽選の結果に基づいて当せん金額等の当せん情報を統合センタに送信する。統合センタは、当せん者リストを作成し、各金融機関を経由して当せん者の預金口座へ当せん金の振り込みを行なう。
【０００３】
また、宝くじには、普通くじと数字選択式とがあり、後者の場合には、希望の数字を指定して購入することができる。そこで、インターネット上で宝くじ等を販売し、利便性を高める宝くじ販売システムに関する技術が開示されている（例えば、特許文献２を参照。）。この特許文献２では、「数字選択式宝くじ」の購入申込画面において、申込数字、申込口数、及び反復購入回数等の購入申込条件を入力する。そして、宝くじ販売システムの受付管理部がインターネットを介して会員端末からの宝くじの購入申込を受け付けると、その購入申込がデータベースに格納される。数字選択式宝くじの申込の場合、申込データが中継センタに送られ、データ転送管理部は、宝くじの購入申込をＪＬＳホストシステムに転送する。
【特許文献１】特開平０８−２０２７８５号公報（第１頁）
【特許文献２】特開２００２−１２３６４６号公報（第１頁）
【発明の開示】
【発明が解決しようとする課題】
【０００４】
ところで、現金自動預払機を利用して数字選択式の宝くじを購入する場合、購入を希望する数字（ナンバー）を操作画面に入力する必要がある。この場合、定期的に同じ番号を購入する利用者にとっては入力が煩雑になることがある。また、定期的に購入していた数字の選択を間違える場合もある。そして、現金自動預払機は、各種取引に利用されているため、混雑している場合があり、できるだけ速やかに宝くじを購入できると便利である。
【０００５】
また、一般的に、くじには当たりがあり、また当たり方によって当せん金の総額に大きな差の出ることがないように作られる。しかし、上述した数字選択式くじのように特定の結果（ここでは、特定の数字の組み合わせ）を予測するような宝くじでは、当たりが少なかったり、当たりが１本も無かったりする場合がある。そのような場合には、当せん金ファンドが余るため、当せん金ファンドの残余を次回の当せん金ファンドへの積立を行なうことがある（キャリーオーバー方式）。この方式では、次の回の宝くじでは、当せん率は同じであっても、当せん金額の期待値が上がることになる。宝くじの購入者は、このような状況に応じて購入枚数を変更したい場合もある。
【０００６】
本発明は、上記問題点を解決するためになされたものであり、顧客の希望やキャリーオーバー状況に応じて、効率的に宝くじを販売するための宝くじ販売支援システム、宝くじ販売支援方法及び宝くじ販売支援プログラムを提供することにある。
【課題を解決するための手段】
【０００７】
上記問題点を解決するために、請求項１に記載の発明は、顧客毎に予め設定された購入条件及び基準購入枚数を記録した購入条件記憶手段、顧客毎にキャリーオーバー金額に応じて、前記基準購入枚数に乗算するキャリーオーバー補正値についての補正テーブルを記
録した補正情報記憶手段、宝くじのキャリーオーバー金額を蓄積する宝くじ管理サーバ及び顧客の口座を管理するホストシステムに接続されて、顧客の宝くじ購入の支援を行なう制御手段、顧客毎に口座識別子を記録した顧客情報記憶手段を備えた宝くじ販売支援システムであって、前記制御手段が、宝くじの購入指示を受けた場合、各回のくじ販売期間に、前記購入条件記憶手段から購入条件及び基準購入枚数を取得する登録情報取得手段、前記ホストシステムにおいて、この顧客の口座を特定し、この口座の口座残高を取得する口座情報取得手段、前記宝くじ管理サーバからキャリーオーバー金額を取得し、このキャリーオーバー金額に応じて前記補正テーブルからキャリーオーバー補正値を取得し、前記基準購入枚数及びキャリーオーバー補正値を用いて購入枚数を算出し、前記算出した購入枚数の購入必要金額を算出し、購入必要金額が口座残高より高い場合には、預金残高を宝くじ単価で除算して、この預金口座を用いて購入することができる枚数を算出し、購入枚数を変更する購入枚数決定手段、前記顧客情報記憶手段を用いて、この顧客の口座から前記購入条件に対して前記購入枚数の宝くじを購入するための金額の引落指示をホストシステムに送信するくじ販売処理手段を備えたことを要旨とする。
【００１３】
請求項２に記載の発明は、顧客毎に予め設定された購入条件及び基準購入枚数を記録した購入条件記憶手段、顧客毎にキャリーオーバー金額に応じて、前記基準購入枚数に乗算するキャリーオーバー補正値についての補正テーブルを記録した補正情報記憶手段、宝くじのキャリーオーバー金額を蓄積する宝くじ管理サーバ及び顧客の口座を管理するホストシステムに接続されて、顧客の宝くじ購入の支援を行なう制御手段、顧客毎に口座識別子を記録した顧客情報記憶手段を備えた宝くじ販売支援システムを用いて、宝くじの販売を支援する方法であって、前記制御手段が、宝くじの購入指示を受けた場合、各回のくじ販売期間に、前記購入条件記憶手段から購入条件及び基準購入枚数を取得する登録情報取得段階、前記ホストシステムにおいて、この顧客の口座を特定し、この口座の口座残高を取得する口座情報取得段階、前記宝くじ管理サーバからキャリーオーバー金額を取得し、このキャリーオーバー金額に応じて前記補正テーブルからキャリーオーバー補正値を取得し、前記基準購入枚数及びキャリーオーバー補正値を用いて購入枚数を算出し、前記算出した購入枚数の購入必要金額を算出し、購入必要金額が口座残高より高い場合には、預金残高を宝くじ単価で除算して、この預金口座を用いて購入することができる枚数を算出し、購入枚数を変更する購入枚数決定段階、前記顧客情報記憶手段を用いて、この顧客の口座から前記購入条件に対して前記購入枚数の宝くじを購入するための金額の引落指示をホストシステムに送信するくじ販売処理段階を実行することを要旨とする。
【００１４】
請求項３に記載の発明は、顧客毎に予め設定された購入条件及び基準購入枚数を記録した購入条件記憶手段、顧客毎にキャリーオーバー金額に応じて、前記基準購入枚数に乗算するキャリーオーバー補正値についての補正テーブルを記録した補正情報記憶手段、宝くじのキャリーオーバー金額を蓄積する宝くじ管理サーバ及び顧客の口座を管理するホストシステムに接続されて、顧客の宝くじ購入の支援を行なう制御手段、顧客毎に口座識別子を記録した顧客情報記憶手段を備えた宝くじ販売支援システムを用いて、宝くじの販売を支援するプログラムであって、前記制御手段を、宝くじの購入指示を受けた場合、各回の
くじ販売期間に、前記購入条件記憶手段から購入条件及び基準購入枚数を取得する登録情報取得手段、前記ホストシステムにおいて、この顧客の口座を特定し、この口座の口座残高を取得する口座情報取得手段、前記宝くじ管理サーバからキャリーオーバー金額を取得し、このキャリーオーバー金額に応じて前記補正テーブルからキャリーオーバー補正値を取得し、前記基準購入枚数及びキャリーオーバー補正値を用いて購入枚数を算出し、前記算出した購入枚数の購入必要金額を算出し、購入必要金額が口座残高より高い場合には、預金残高を宝くじ単価で除算して、この預金口座を用いて購入することができる枚数を算出し、購入枚数を変更する購入枚数決定手段、前記顧客情報記憶手段を用いて、この顧客の口座から前記購入条件に対して前記購入枚数の宝くじを購入するための金額の引落指示をホストシステムに送信するくじ販売処理手段として機能させることを要旨とする。
【００１５】
（作用）
請求項１、２又は３に記載の発明によれば、制御手段が、宝くじの購入指示を受けた場合、購入条件記憶手段から購入条件及び基準購入枚数を取得する。次に、宝くじ管理サーバからキャリーオーバー金額を取得し、このキャリーオーバー金額に応じて、補正テーブルからキャリーオーバー補正値を取得する。次に、基準購入枚数及びキャリーオーバー補正値を用いて購入枚数を算出する。そして、顧客情報記憶手段を用いて、この顧客の口座を特定し、この口座から購入条件に対して購入枚数の宝くじを購入するための金額の引落指示をホストシステムに送信する。これにより、予め設定された購入条件及び基準購入枚数を用いて、効率的に宝くじを販売することができる。また、キャリーオーバー状況を考慮して宝くじを販売することができる。
【００１６】
本発明によれば、購入枚数決定手段は、算出した購入枚数の購入必要金額を算出し、購入必要金額が口座残高より高い場合には、口座残高を用いて、購入枚数を変更する。これにより、口座残高に応じて宝くじを販売することができる。
【００１９】
本発明によれば、補正情報記憶手段には、顧客毎にキャリーオーバー補正値が記録されている。これにより、宝くじ管理サーバが、顧客が希望する宝くじを効率的に販売することができる。
【発明の効果】
【００２１】
本発明によれば、顧客の希望やキャリーオーバー状況に応じて、効率的に宝くじを販売するための宝くじ販売支援システム、宝くじ販売支援方法及び宝くじ販売支援プログラムを提供することができる。
【発明を実施するための最良の形態】
【００２２】
（第１の実施形態）
以下、本発明を具体化した第１の実施形態を図１〜図５に従って説明する。本実施形態では、宝くじの販売機関が、顧客から受け付けた宝くじ購入依頼に基づいて宝くじの販売サービスを提供する場合に用いる宝くじ販売支援システム、宝くじ販売支援方法及び宝くじ販売支援プログラムとして説明する。
【００２３】
本実施形態では、購入者が３桁又は４桁の申し込み数字を自由に選ぶことができる数字選択式宝くじ（ナンバーズ（商品名））等の販売を行なうサービスに適用する。例えば、「０００」から「９９９」まで１０００通りある３桁の数字から自由に選んで申し込む「ナンバーズ３（商品名）」や「００００」から「９９９９」まで１００００通りある４桁の数字から自由に選んで申し込む「ナンバーズ４（商品名）」に適用する。
【００２４】
本実施形態では、図１に示すように、現金自動預払機１０、くじ販売支援サーバ２０、銀行のホストシステム３０、宝くじ管理サーバ４０を用いる。
現金自動預払機１０（ＡＴＭ：automated-teller machine）は、ネットワークを介して、くじ販売支援サーバ２０に接続されている口座振込等の取引を行なうための金融機関端末である。この現金自動預払機１０は、制御手段としてのＣＰＵ、ＲＡＭ及びＲＯＭ等（図示せず）を有し、後述する処理（キャッシュカードからデータを読み込む段階、くじ販売支援サーバ２０や銀行のホストシステム３０との通信段階、キャッシュカードにデータを書き込む段階等を含む処理）を行なう。このためのプログラムを実行することにより、現金自動預払機１０は、キャッシュカードのデータ読み書き手段、くじ販売支援サーバ２０や銀行のホストシステム３０との通信手段等として機能する。
【００２５】
現金自動預払機１０は、タッチパネルディスプレイを備える。このタッチパネルディスプレイを介して、利用者に対して情報を表示したり、利用者から指示を受け付けたりする。さらに、現金自動預払機１０は、現金収容部、キャッシュカード挿入部や取引明細出力部が設けられている。現金収容部は、利用者との間で紙幣や硬貨の受け渡しを行なう。キャッシュカード挿入部は、利用者のキャッシュカードを収容する。取引明細出力部は取引明細を出力する。
【００２６】
くじ販売支援サーバ２０は、現金自動預払機１０を利用しての宝くじの販売を管理するためのコンピュータシステムである。くじ販売支援サーバ２０は、図１に示すように制御部２１を備えている。制御部２１は、現金自動預払機１０からの要求を受信し、既存のホストシステム３０や宝くじ管理サーバ４０にアクセスするデータの管理処理等を行なう。そして、制御部２１は、制御手段としてのＣＰＵ、ＲＡＭ及びＲＯＭ等を有し、後述する処理（登録情報取得段階、個別販売処理段階、ナンバー確認段階、繰越情報取得段階、口座情報取得段階、購入枚数決定段階、くじ販売処理段階、ナンバー登録処理段階、当せん通知処理段階等を含む処理）を行なう。このための宝くじ販売支援プログラム実行するこ
とにより、制御部２１は、図１に示すように、登録情報取得手段２１０、個別販売処理手段２１１、ナンバー確認手段２１２、繰越情報取得手段２１３、口座情報取得手段２１４、購入枚数決定手段２１５として機能する。更に、制御部２１は、くじ販売処理手段２１６、ナンバー登録処理手段２１７、当せん通知処理手段２１８等として機能する。
【００２７】
登録情報取得手段２１０は、現金自動預払機１０において挿入されたキャッシュカード５０のメモリ５１に記録されたカード情報を取得する処理を実行する。
個別販売処理手段２１１は、メモリ５１に記録された登録情報を利用せずに個別に宝くじを販売するための販売処理を実行する。
【００２８】
ナンバー確認手段２１２は、購入する宝くじを利用者に確認させるための処理を実行する。
繰越情報取得手段２１３は、数字選択式宝くじにおいて、当せん金の繰り越し（キャリーオーバー）の有無を確認するための処理を実行する。
【００２９】
口座情報取得手段２１４は、キャッシュカード５０の名義人の預金口座の残高を確認するための処理を実行する。
購入枚数決定手段２１５は、この利用者に対して販売する宝くじの枚数を決定する処理を実行する。更に、この購入枚数決定手段２１５は、宝くじの販売価格に関するデータ（単価、申込タイプに応じた価格算出関数）を保持しており、宝くじを購入するために必要な金額を算出する処理を実行する。
【００３０】
くじ販売処理手段２１６は、宝くじ管理サーバ４０に対して、宝くじの販売データを送信する処理を実行する。
ナンバー登録処理手段２１７は、キャッシュカード５０のメモリ５１に、宝くじを購入するための条件を設定する処理を実行する。
当せん通知処理手段２１８は、顧客の連絡先に当せん通知を送信する処理を実行する。
【００３１】
また、くじ販売支援サーバ２０は、顧客管理情報記憶部２２、販売管理情報記憶部２３を備えている。
【００３２】
顧客管理情報記憶部２２には、図２（ａ）に示すように、顧客管理レコード２２０が記録される。本実施形態では、顧客管理情報記憶部２２は顧客情報記憶手段として機能する。この顧客管理レコード２２０は、このサービスを利用する顧客の登録が行なわれた場合に記録される。顧客管理レコード２２０は、顧客識別子、預金口座識別子、連絡先に関するデータを含んで構成される。
【００３３】
顧客識別子データ領域には、このサービスの利用者を特定するための識別子に関するデータが記録される。
預金口座識別子データ領域には、この顧客が保有する預金口座を特定するための識別子に関するデータが記録される。この顧客口座識別子は、本支店コード、預金種別コード、口座番号から構成されている。
連絡先データ領域には、この顧客に対して連絡を行なう場合に用いる連絡先に関するデータが記録される。本実施形態では、顧客の電子メールアドレスを用いる。
【００３４】
販売管理情報記憶部２３には、図２（ｂ）に示すように、販売管理レコード２３０が記録される。本実施形態では、販売管理情報記憶部２３は販売管理情報記憶手段として機能する。この販売管理レコード２３０は、顧客から宝くじの購入依頼を受けた場合に登録される。販売管理レコード２３０は、顧客識別子、抽選回、購入ナンバー、申込タイプ、購入枚数に関するデータを含んで構成される。
【００３５】
顧客識別子データ領域には、宝くじを購入した顧客を特定するための識別子に関するデータが記録される。
抽選回データ領域には、販売した宝くじの回別を特定するためのデータに関するデータが記録される。
【００３６】
購入ナンバーデータ領域には、この顧客が購入した宝くじにおいて選択された数字に関するデータが記録される。
申込タイプデータ領域には、数字選択式全国自治宝くじの「ナンバーズ」（商品名）のように、選択された数字の組み合わせ方（申込タイプ）を特定するための識別子に関するデータが記録される。この申込タイプには、申込数字が抽せん数字、並び順ともに一致するものが当せんとなる「ストレート」、申込数字が抽せん数字に一致すれば、並びの順序は異なってもよい「ボックス」、ストレートとボックスに半分ずつ申し込む「セット」がある。なお、数字選択式全国自治宝くじの「ロト６」（商品名）のように、申込タイプがない場合には空欄となる。
購入枚数データ領域には、この顧客が購入した宝くじの枚数に関するデータが記録される。
【００３７】
また、本実施形態では、キャッシュカード５０を用いて宝くじを購入する。このキャッシュカード５０はメモリ５１を備えている。本実施形態では、メモリ５１が、購入条件記憶手段、補正情報記憶手段として機能する。
【００３８】
このメモリ５１には、図２（ｃ）に示すように、預金口座識別子データ５１１、登録ナンバーデータ５１２、キャリーオーバー補正テーブル５１３が記録される。この預金口座識別子データ５１１は、顧客に対してキャッシュカードを発行した場合に登録される。登録ナンバーデータ５１２は登録ナンバー、申込タイプ、基準購入枚数に関するデータを含んで構成される。
【００３９】
預金口座識別子データ領域には、キャッシュカード５０の名義人の預金口座を特定するための識別子に関するデータが記録される。
登録ナンバーデータ領域には、このキャッシュカード５０を所有する名義人が購入する宝くじの選択番号に関するデータが記録される。
【００４０】
申込タイプデータ領域には、選択された数字の組み合わせ方（申込タイプ）を特定するための識別子に関するデータが記録される。
基準購入枚数データ領域には、キャリーオーバーがない通常時において、購入する宝くじの枚数（基準購入枚数）に関するデータが記録される。
【００４１】
キャリーオーバー補正テーブル５１３には、キャリーオーバーが発生している場合に購入する宝くじのデフォルト購入枚数を決定するための補正テーブルが記録される。このキャリーオーバー補正テーブル５１３には、各キャリーオーバー金額範囲に対して、基準購入枚数に乗算する値が記録される。例えば、キャリーオーバー金額範囲：「３億円以上４億円未満」に対して補正値「２」が記録されている。この場合、基準購入枚数：「１０枚」であって、キャリーオーバー金額「３．５億円」の場合には、デフォルト購入枚数として、２０枚（＝１０枚×２）が算出される。
【００４２】
ホストシステム３０は、銀行のコンピュータシステムであって、この銀行において開設された口座の口座名義人や口座残高に関するデータを管理する。このホストシステム３０は、預金口座情報記憶部を備えている。この預金口座情報記憶部には、銀行において開設された預金口座に関しての口座管理レコードが記録されている。この口座管理レコードは
、銀行に口座が開設された場合に登録される。口座管理レコードは、口座識別子、暗証番号、口座名義人、入出金履歴、口座残高等に関するデータを含んで構成されている。
【００４３】
口座識別子データ領域には、開設された口座を特定するための識別子に関するデータが記録されている。暗証番号データ領域には、この口座を利用する場合に本人認証するためのデータが記録されている。口座名義人データ領域には、この口座に関する口座名義人を特定するためのデータが記録されている。入出金履歴や口座残高データ領域には、この口座の入出金明細や残高に関するデータが記録されている。
【００４４】
また、宝くじ管理サーバ４０は、宝くじの販売を管理するコンピュータシステムである。この宝くじ管理サーバ４０は、販売された宝くじの抽選処理を行なう。そして、販売された宝くじの中に当せん番号がない場合には、当せん金の繰り越し（キャリーオーバー）を行なう。そして、宝くじ管理サーバ４０は、繰り越された金額（キャリーオーバー金額）に関する情報を公開する。
【００４５】
上記のように構成されたシステムを用いて、利用者に対して宝くじの販売を行なう場合の処理手順について説明する。
（くじ販売処理）
本実施形態では、金融機関の現金自動預払機１０を利用して宝くじ販売を行なう。具体的には、現金自動預払機１０のタッチパネル式のディスプレイには、金融機関が提供するサービスに関するメニュー項目について、項目毎にサービス選択ボタンが表示されたメニュー画面が出力されている。ここでは、この中から「宝くじ購入」のサービス選択ボタンを押す。
【００４６】
この場合、現金自動預払機１０のディスプレイには、キャッシュカードの挿入、暗証番号の入力を促す表示画面が出力される。そして、現金自動預払機１０は、認証要求をホストシステム３０に送信する。この認証要求には、キャッシュカード５０のメモリ５１から読み取った預金口座識別子、番号ボタンを用いて入力された暗証番号を含める。
【００４７】
この場合、ホストシステム３０は、預金口座情報記憶部を用いて、本人認証処理を行なう。具体的には、認証要求に含まれる預金口座識別子と暗証番号とが、預金口座情報記憶部に記録されているかどうかを確認する。ここで、認証要求に含まれる預金口座識別子と暗証番号とが記録されておらず、本人認証ができない場合には、認証ができないことを現金自動預払機１０のディスプレイに表示させて処理を終了する。一方、本人認証ができた場合には、預金口座識別子を、くじ販売支援サーバ２０に転送する。
【００４８】
そして、くじ販売支援サーバ２０の制御部２１は、カード情報の取得処理を実行する（ステップＳ１−１）。具体的には、制御部２１の登録情報取得手段２１０は、認証された預金口座識別子を用いて、宝くじの購入を希望する顧客の顧客管理レコード２２０を特定する。
【００４９】
次に、くじ販売支援サーバ２０の制御部２１は、キャリーオーバー情報の取得処理を実行する（ステップＳ１−２）。具体的には、制御部２１の繰越情報取得手段２１３は、宝くじ管理サーバ４０にアクセスして、キャリーオーバーについての情報を取得する。そして、キャリーオーバーが発生している場合には、繰越情報取得手段２１３は、宝くじ管理サーバ４０から、キャリーオーバー金額に関するデータを取得する。
【００５０】
次に、くじ販売支援サーバ２０の制御部２１は、キャリーオーバー情報の出力処理を実行する（ステップＳ１−３）。具体的には、制御部２１の繰越情報取得手段２１３は、現金自動預払機１０のディスプレイに、キャリーオーバー金額を出力する。
【００５１】
次に、くじ販売支援サーバ２０の制御部２１は、宝くじのナンバー登録があるかどうかについての判定処理を実行する（ステップＳ１−４）。具体的には、制御部２１のナンバー確認手段２１２は、キャッシュカード５０のメモリ５１に、登録ナンバーに関するデータが記録されているかどうかを確認する。
【００５２】
ここで、キャッシュカード５０のメモリ５１に記録されている登録ナンバーを検知した場合（ステップＳ１−４において「ＹＥＳ」の場合）には、くじ販売支援サーバ２０の制御部２１は、後述するように登録ナンバー利用処理を実行する（ステップＳ１−５）。
【００５３】
一方、キャッシュカード５０のメモリ５１に登録ナンバーが記録されていない場合（ステップＳ１−４において「ＮＯ」の場合）には、くじ販売支援サーバ２０の制御部２１は、宝くじ購入設定処理を実行する（ステップＳ１−６）。具体的には、制御部２１の個別販売処理手段２１１は、宝くじ購入画面を現金自動預払機１０のディスプレイに出力する。この宝くじ購入画面には、購入を希望する宝くじのナンバーの入力欄や、購入枚数の入力欄が設けられている。更に、申込タイプが設定可能な宝くじについては、申込タイプを特定する設定欄が設けられている。そして、宝くじ購入画面において、購入を希望する宝くじのナンバーや申込タイプ、購入枚数が設定されて、購入ボタンが選択された場合、現金自動預払機１０は、購入依頼データを、くじ販売支援サーバ２０に送信する。この購入依頼データには、宝くじ購入画面において設定されたナンバーや申込タイプ、購入枚数に関する情報を含める。
【００５４】
次に、くじ販売支援サーバ２０の制御部２１は、ナンバー登録希望の有無についての判定処理を実行する（ステップＳ１−７）。具体的には、制御部２１の個別販売処理手段２１１は、現金自動預払機１０のディスプレイに今回購入したナンバーや申込タイプ、購入枚数についての登録希望の有無を確認するための登録希望確認画面を出力する。
【００５５】
ここで、登録希望確認画面において登録希望ボタンが選択された場合、現金自動預払機１０は登録希望情報を、くじ販売支援サーバ２０に送信する。この場合（ステップＳ１−７において「ＹＥＳ」の場合）、くじ販売支援サーバ２０の制御部２１は、後述するようにナンバー登録処理を実行する（ステップＳ１−８）。
【００５６】
一方、登録希望確認画面において登録不要ボタンが選択された場合、現金自動預払機１０は登録不要情報を、くじ販売支援サーバ２０に送信する。この場合（ステップＳ１−７において「ＮＯ」の場合）、くじ販売支援サーバ２０の制御部２１は、宝くじ販売処理を実行する（ステップＳ１−９）。具体的には、制御部２１のくじ販売処理手段２１６は、現金自動預払機１０から取得した購入依頼データに基づいて、宝くじ管理サーバ４０にくじ購入依頼データを送信する。このくじ購入依頼データには、ナンバーや申込タイプ、購入枚数に関するデータを含める。更に、くじ販売処理手段２１６は、顧客識別子に対して、抽選回、購入ナンバーや申込タイプ、購入枚数を含めた販売管理レコード２３０を生成し、販売管理情報記憶部２３に記録する。
【００５７】
（ナンバー登録処理）
次に、ナンバー登録処理について、図４を用いて説明する。
ここでは、現金自動預払機１０は、ナンバー記録処理を実行する（ステップＳ２−１）。具体的には、現金自動預払機１０は、宝くじ購入画面において設定されたナンバーや申込タイプ、購入枚数を、キャッシュカード５０のメモリ５１に記録する。そして、現金自動預払機１０は、くじ販売支援サーバ２０にナンバーの登録を行なったことを通知する。
【００５８】
次に、くじ販売支援サーバ２０の制御部２１は、キャリーオーバーテーブル設定希望の
有無についての判定処理を実行する（ステップＳ２−２）。具体的には、制御部２１のナンバー登録処理手段２１７は、現金自動預払機１０のディスプレイに、キャリーオーバー状況に応じて購入枚数の変更の希望有無を確認するための確認画面を出力する。なお、キャリーオーバーが発生しない宝くじ（例えば、「ナンバーズ」）については、以下のキャリーオーバー補正テーブルを設定するための処理は行なわない。
【００５９】
この確認画面においてキャリーオーバー補正テーブルの設定を希望しない場合（ステップＳ２−２において「ＮＯ」の場合）、ナンバー登録処理を終了する。一方、キャリーオーバー補正テーブルの設定を希望する場合（ステップＳ２−２において「ＹＥＳ」の場合）、くじ販売支援サーバ２０の制御部２１は、キャリーオーバー補正テーブルの出力処理を実行する（ステップＳ２−３）。具体的には、制御部２１のナンバー登録処理手段２１７は、現金自動預払機１０のディスプレイにキャリーオーバー補正登録画面を出力する。このキャリーオーバー補正登録画面においては、キャリーオーバー金額範囲に応じて、基準購入枚数に乗算する値を設定するための補正値欄が設けられている。
【００６０】
そして、キャリーオーバー補正登録画面において補正値が設定された場合、現金自動預払機１０は、キャリーオーバー補正テーブルの登録処理を実行する（ステップＳ２−４）。具体的には、現金自動預払機１０は、キャリーオーバー補正登録画面において設定されたキャリーオーバー補正テーブル５１３を、キャッシュカード５０のメモリ５１に記録する。そして、現金自動預払機１０は、くじ販売支援サーバ２０にナンバーの登録を行なったことを通知する。
この場合、くじ販売支援サーバ２０の制御部２１は、前述したように宝くじ販売処理を実行する（ステップＳ１−９）。
【００６１】
（登録ナンバー利用処理）
次に、登録ナンバー利用処理を、図５を用いて説明する。
【００６２】
ここでは、くじ販売支援サーバ２０の制御部２１は、登録情報の取得処理を実行する（ステップＳ３−１）。具体的には、制御部２１の登録情報取得手段２１０は、キャッシュカード５０のメモリ５１に記録された登録ナンバー、申込タイプ、基準購入枚数に関するデータを取得する。
【００６３】
次に、くじ販売支援サーバ２０の制御部２１は、キャリーオーバーに応じて購入枚数の決定処理を実行する（ステップＳ３−２）。具体的には、制御部２１の購入枚数決定手段２１５は、繰越情報取得手段２１３が取得したキャリーオーバー金額と、キャリーオーバー補正テーブル５１３に記録された金額範囲とを照合する。そして、購入枚数決定手段２１５は、特定された金額範囲に関連付けられている補正値を取得する。そして、購入枚数決定手段２１５は、基準購入枚数にキャリーオーバー補正値を乗算して、今回のデフォルト購入枚数を算出する。
【００６４】
次に、くじ販売支援サーバ２０の制御部２１は、口座残高情報の取得処理を実行する（ステップＳ３−３）。具体的には、制御部２１の口座情報取得手段２１４は、キャッシュカード５０のメモリ５１に記録された預金口座識別子を用いて、ホストシステム３０から口座残高に関するデータを取得する。
【００６５】
次に、くじ販売支援サーバ２０の制御部２１は、購入必要金額以上の口座残高があるかどうかについての判定処理を実行する（ステップＳ３−４）。具体的には、制御部２１の購入枚数決定手段２１５は、算出したデフォルト購入枚数を購入するために必要な金額を算出する。そして、この金額以上の預金残高が残っているかどうかを判定する。
【００６６】
購入必要金額以上の口座残高がない場合（ステップＳ３−４において「ＮＯ」の場合）、くじ販売支援サーバ２０の制御部２１は、口座残高に応じて購入枚数の修正処理を実行する（ステップＳ３−５）。具体的には、制御部２１の購入枚数決定手段２１５は、預金残高を宝くじ単価で除算して、この預金口座を用いて購入することができる枚数を算出し、デフォルト購入枚数を変更する。なお、購入必要金額以上の口座残高がある場合（ステップＳ３−４において「ＹＥＳ」の場合）には、ステップＳ３−５の処理は行なわない。
【００６７】
そして、くじ販売支援サーバ２０の制御部２１は、購入確認表示処理を実行する（ステップＳ３−６）。具体的には、制御部２１のナンバー確認手段２１２は、確認画面を現金自動預払機１０のディスプレイに出力する。この確認画面においては、キャッシュカード５０のメモリ５１に記録された登録ナンバー、申込タイプ及びデフォルト購入枚数に関する表示を行なう。ここで、メモリ５１に複数の登録ナンバーが登録されている場合には、登録ナンバー毎に申込タイプ及びデフォルト購入枚数に関する表示を行なう。そして、この確認画面には、各登録ナンバーに対して、購入を希望するナンバーを設定するためのナンバー選択ボタンが表示される。更に、登録ナンバーを使用しないことを選択するための不使用選択ボタンも表示される。
【００６８】
次に、くじ販売支援サーバ２０の制御部２１は、ナンバー登録を利用して購入するかどうかについての判定処理を実行する（ステップＳ３−７）。具体的には、制御部２１のナンバー確認手段２１２は、登録ナンバー利用の希望の有無を確認するための登録ナンバー利用確認画面を出力する。
【００６９】
ここで、利用する登録ナンバーのナンバー選択ボタンが選択された場合（ステップＳ３−７において「ＹＥＳ」の場合）には、現金自動預払機１０は、購入依頼データを、くじ販売支援サーバ２０に送信する（ステップＳ３−８）。この購入依頼データには、登録ナンバー利用確認画面において選択されたナンバーや申込タイプ、購入枚数に関する情報を含める。そして、くじ販売支援サーバ２０の制御部２１は、前述したように宝くじ販売処理を実行する（ステップＳ１−９）。
【００７０】
一方、不使用選択ボタンが選択された場合（ステップＳ３−７において「ＮＯ」の場合）には、現金自動預払機１０は、個別販売指示を、くじ販売支援サーバ２０に送信する。この場合、くじ販売支援サーバ２０は、前述したように宝くじ購入設定処理を実行する（ステップＳ１−６）。
【００７１】
（当せん通知処理）
次に、当せん通知処理を説明する。
くじ販売支援サーバ２０の制御部２１は、宝くじの抽選が行なわれた場合には、当せん番号を取得する。具体的には、制御部２１の当せん通知処理手段２１８は、宝くじ管理サーバ４０から当せん番号を取得する。
【００７２】
そして、くじ販売支援サーバ２０の制御部２１は、当せん番号の照合処理を実行する。具体的には、当せん通知処理手段２１８は、販売管理情報記憶部２３に記録された購入ナンバーと、当せんナンバーとを照合する。
【００７３】
ここで、当せんナンバーが一致する販売管理レコード２３０を特定できた場合、くじ販売支援サーバ２０の制御部２１は、当せん通知を送信する。具体的には、制御部２１の当せん通知処理手段２１８は、このレコードに記録されている顧客識別子を取得する。そして、当せん通知処理手段２１８は、この顧客識別子が記録された顧客管理レコード２２０から連絡先情報を取得する。次に、当せん通知処理手段２１８は、この連絡先に対して、当せん通知を送信する。
【００７４】
以上、本実施形態によれば、以下に示す効果を得ることができる。
・  上記実施形態では、登録希望確認画面において登録希望ボタンが選択された場合、現金自動預払機１０は登録希望情報を、くじ販売支援サーバ２０に送信する。この場合（ステップＳ１−７において「ＹＥＳ」の場合）、くじ販売支援サーバ２０の制御部２１は、ナンバー登録処理を実行する（ステップＳ１−８）。そして、くじ販売支援サーバ２０の制御部２１は、登録情報の取得処理を実行する（ステップＳ３−１）。これにより、キャッシュカードに記録された登録ナンバーを利用して、効率的かつ迅速に宝くじを購入することができる。
【００７５】
・  上記実施形態では、キャリーオーバー補正登録画面において補正値が設定された場合、現金自動預払機１０は、キャリーオーバー補正テーブルの登録処理を実行する（ステップＳ２−４）。そして、くじ販売支援サーバ２０の制御部２１は、キャリーオーバーに応じて購入枚数の決定処理を実行する（ステップＳ３−２）。これにより、キャリーオーバー状況を考慮して、宝くじの購入を行なうことができる。
【００７６】
・  上記実施形態では、くじ販売支援サーバ２０の制御部２１は、口座残高情報の取得処理を実行する（ステップＳ３−３）。そして、購入必要金額以上の口座残高がない場合（ステップＳ３−４において「ＮＯ」の場合）、くじ販売支援サーバ２０の制御部２１は、口座残高に応じて購入枚数の修正処理を実行する（ステップＳ３−５）。これにより、利用者の口座残高に応じて、宝くじを購入することができる。
【００７７】
（第２の実施形態）
上記第１の実施形態では、キャッシュカード５０のメモリ５１にナンバーを登録し、顧客が現金自動預払機１０を用いて宝くじを購入する場合を想定した。第２の実施形態では、くじ販売支援サーバ２０が、宝くじを自動購入する場合を説明する。この場合のくじ管理処理を、図６を用いて説明する。ここでは、キャッシュカード５０のメモリ５１に代えて、顧客管理情報記憶部２２を購入条件記憶手段、補正情報記憶手段として機能させる。そして、顧客管理情報記憶部２２に、顧客識別子に関連付けて、登録ナンバー、申込タイプ、基準購入枚数やキャリーオーバー補正テーブルを記録する。
【００７８】
そして、くじ販売支援サーバ２０の制御部２１は、登録ナンバーの取得処理を実行する（ステップＳ４−１）。具体的には、制御部２１の登録情報取得手段２１０は、各回のくじ販売期間に、顧客管理情報記憶部２２に記録された登録ナンバー、申込タイプ、基準購入枚数を取得する。
【００７９】
次に、くじ販売支援サーバ２０の制御部２１は、キャリーオーバー情報の取得処理を実行する（ステップＳ４−２）。具体的には、制御部２１の繰越情報取得手段２１３は、宝くじ管理サーバ４０にアクセスして、キャリーオーバーについての情報を取得する。そして、キャリーオーバーが発生している場合には、繰越情報取得手段２１３は、キャリーオーバー金額に関するデータを取得する。
【００８０】
次に、くじ販売支援サーバ２０の制御部２１は、キャリーオーバーに応じて購入枚数の決定処理を実行する（ステップＳ４−３）。具体的には、制御部２１の購入枚数決定手段２１５は、繰越情報取得手段２１３が取得したキャリーオーバー金額と、キャリーオーバー補正テーブルに記録された金額範囲とを照合する。そして、購入枚数決定手段２１５は、特定された金額範囲に関連付けられている補正値を取得する。そして、購入枚数決定手段２１５は、基準購入枚数にキャリーオーバー補正値を乗算して、今回の購入枚数を算出する。
【００８１】
次に、くじ販売支援サーバ２０の制御部２１は、口座残高情報の取得処理を実行する（ステップＳ４−４）。具体的には、制御部２１の口座情報取得手段２１４は、顧客管理情報記憶部２２に記録された口座識別子を用いて、ホストシステム３０から口座残高に関するデータを取得する。
【００８２】
次に、くじ販売支援サーバ２０の制御部２１は、購入必要金額以上の口座残高があるかどうかについての判定処理を実行する（ステップＳ４−５）。具体的には、制御部２１の購入枚数決定手段２１５は、算出した購入枚数を購入するために必要な金額を算出する。そして、この金額以上の預金残高が残っているかどうかを判定する。
【００８３】
購入必要金額以上の口座残高がない場合（ステップＳ４−５において「ＮＯ」の場合）、くじ販売支援サーバ２０の制御部２１は、口座残高に応じて購入枚数の修正処理を実行する（ステップＳ４−６）。具体的には、制御部２１の購入枚数決定手段２１５は、預金残高を宝くじ単価で除算して、この預金口座を用いて購入することができる枚数を算出し、購入枚数を変更する。なお、購入必要金額以上の口座残高がある場合（ステップＳ４−５において「ＹＥＳ」の場合）には、ステップＳ４−６の処理は行なわない。
そして、くじ販売支援サーバ２０の制御部２１は、ステップＳ１−９と同様に、宝くじ販売処理を実行する（ステップＳ４−７）。
【００８４】
以上、本実施形態によれば、以下に示す効果を得ることができる。
【００８５】
・  上記実施形態では、くじ販売支援サーバ２０が、宝くじを自動購入する。宝くじの販売期間はあらかじめ定められているため、この期間を途過してしまうと、宝くじを購入することができない。上記実施形態においては、宝くじを自動購入するので、購入忘れを防止することができる。
【００８６】
また、この場合においても、くじ販売支援サーバ２０の制御部２１は、キャリーオーバーに応じて購入枚数の決定処理を実行する（ステップＳ４−３）。これにより、キャリーオーバー状況を考慮して、宝くじを購入することができる。
【００８７】
なお、上記実施形態は、以下の態様に変更してもよい。
○  上記各実施形態では、購入必要金額以上の口座残高がない場合、くじ販売支援サーバ２０の制御部２１は、口座残高に応じて購入枚数の修正処理を実行する（ステップＳ３−５、Ｓ４−６）。具体的には、預金残高を宝くじ単価で除算して、この預金口座を用いて購入することができる枚数を算出する。ここで、口座残高に応じて購入枚数を決定する方法はこれに限定されるものではない。口座残高を所定の関数に代入することによって、購入枚数を設定することも可能である。
【００８８】
○  上記各実施形態では、宝くじ販売支援方法を数字選択式宝くじの販売に適用したが、くじの対象はこれに限定されるものではなく、当せん金がキャリーオーバーされる宝くじに適用することが可能である。
【００８９】
○  上記各実施形態では、キャリーオーバー状況によって、購入枚数を変更したが、変更対象は購入枚数に限定されるのではない。例えば、申込タイプを変更することも可能である。
【００９０】
○  上記各実施形態では、宝くじを購入する場合にナンバーを登録するようにしたが、ナンバー登録のタイミングは、これに限定されるものではない。宝くじの購入とは別のタイミングで、登録できるようにしてもよい。
【００９１】
○  上記各実施形態では、現金自動預払機１０を用いてナンバーの登録を行なったが、ナンバーを登録するために用いる装置は、現金自動預払機１０に限定されるものではない。例えば、携帯電話端末やインターネットに接続可能なコンピュータ端末を利用することも可能である。
【００９２】
○  上記各実施形態では、キャッシュカード５０のメモリ５１や顧客管理情報記憶部２２に登録ナンバーを記憶させたが、ナンバーを記憶させる記録媒体は、これらに限定されるものではない。携帯可能なコンピュータ端末（例えば、携帯電話端末）を用いることも可能である。この場合には、現金自動預払機１０が、携帯電話端末から登録ナンバーを読み取るとともに、口座識別子については、キャッシュカード５０のメモリ５１から読み取るようにする。これによっても、事前に登録されたナンバーを利用して効率的に宝くじを販売することができる。
【図面の簡単な説明】
【００９３】
【図１】本発明の実施形態のシステム概略図。
【図２】各情報記憶部に記録されたデータの説明図であって、（ａ）は顧客管理情報記憶部、（ｂ）は販売管理情報記憶部、（ｃ）はキャッシュカードのメモリに記録されたデータの説明図。
【図３】本実施形態の処理手順の説明図。
【図４】本実施形態の処理手順の説明図。
【図５】本実施形態の処理手順の説明図。
【図６】他の実施形態の処理手順の説明図。
【符号の説明】
【００９４】
１０…現金自動預払機、２０…くじ販売支援サーバ、２１…制御部、２１０…登録情報取得手段、２１１…個別販売処理手段、２１２…ナンバー確認手段、２１３…繰越情報取得手段、２１４…口座情報取得手段、２１５…購入枚数決定手段、２１６…くじ販売処理手段、２１７…ナンバー登録処理手段、２１８…当せん通知処理手段、２２…顧客管理情報記憶部、２３…販売管理情報記憶部、３０…ホストシステム、４０…宝くじ管理サーバ、５０…キャッシュカード。
【図１】
0005222019.tif 000002
【図２】
0005222019.tif 000003
【図３】
0005222019.tif 000004
【図４】
0005222019.tif 000005
【図５】
0005222019.tif 000006
【図６】
0005222019.tif 000007